(57)【要約】【課題】仮に使用者が敷布団の上で動き回っても、その配置位置が変わり難く、敷布団に被せた状態を保持できる敷布団カバー及び敷布団カバー固定用のバンドを提供する。【解決手段】敷布団１１の中間部から下部に部分的に被せて使用者の尿によって敷布団１１が汚れるのを防止する敷布団カバー１０であって、少なくとも敷布団１１の幅より広く、その両端部を敷布団１１の両側で折り曲げ可能な幅を有する防水性のある布地シート１２と、敷布団１１に被さって両側で折り曲げた状態の布地シート１２の折り曲げ部１２ａにそれぞれ複数箇所にわたって対向して設けられた第１の面状ファスナー２４〜２９と、敷布団１１に被さって両側を折り曲げられた状態の布地シート１２の対向して配置された第１の面状ファスナー２４〜２９に係合する第２の面状ファスナー１８〜２３が両側にそれぞれ設けられたバンド１３〜１５を有する。【選択図】図１
0003122713.tif 000002
【実用新案登録請求の範囲】
【請求項１】
敷布団の中間部から下部に部分的に被せて使用者の尿によって前記敷布団が汚れるのを防止する敷布団カバーであって、
少なくとも前記敷布団の幅より広く、その両端部を前記敷布団の両側で折り曲げ可能な幅を有する防水性のある布地シートと、
前記敷布団に被さって両側で折り曲げた状態の前記布地シートの両折り曲げ部にそれぞれ複数箇所にわたって対向して設けられた第１の面状ファスナーと、
前記敷布団に被さって両側を折り曲げられた状態の前記布地シートの対向して配置された前記第１の面状ファスナーに係合する第２の面状ファスナーが両側にそれぞれ設けられたバンドとを有することを特徴とする敷布団カバー。
【請求項２】
請求項１記載の敷布団カバーにおいて、前記布地シートは天然繊維又は人造繊維からなる布地本体と、該布地本体の片面に接合されている防水性部材からなることを特徴とする敷布団カバー。
【請求項３】
請求項２記載の敷布団カバーにおいて、前記防水性部材は前記布地本体にコーティングされていることを特徴とする敷布団カバー。
【請求項４】
請求項３記載の敷布団カバーにおいて、前記布地シートを広げた状態で、上下方向の幅は８０〜１１０ｃｍ、横方向の幅は１２０〜１９０ｃｍの範囲にあることを特徴とする敷布団カバー。
【請求項５】
敷布団の中間部から下部に部分的に被せて使用者の尿によって前記敷布団が汚れるのを防止する敷布団カバーであって、
天然繊維又は人造繊維からなる布地本体と該布地本体の片面に接合されている防水性部材とからなり、少なくとも前記敷布団の幅より広く、その両端部を前記敷布団の両側で折り曲げ可能な幅を有する防水性のある布地シートと、
前記敷布団に被さって両側を折り曲げられた状態の前記布地シートの両折り曲げ部の前記布地本体に接合するフックテープを備える第３の面状ファスナーが両側に設けられたバンドとを有することを特徴とする敷布団カバー。
【請求項６】
請求項５記載の敷布団カバーにおいて、前記布地本体はポリエステル樹脂を主体とし表面に多数の微小掛かり部が設けられたパイル地であって、前記防水性部材はポリウレタン樹脂からなって前記布地本体にコーティングされていることを特徴とする敷布団カバー。
【請求項７】
請求項６記載の敷布団カバーにおいて、前記布地シートを広げた状態で、上下方向の幅は８０〜１１０ｃｍ、横方向の幅は１２０〜１９０ｃｍの範囲にあることを特徴とする敷布団カバー。
【請求項８】
敷布団の中間部から下部に部分的に被せて使用者の尿によって前記敷布団が汚れるのを防止する敷布団カバー固定用のバンドであって、
天然繊維又は人造繊維からなる布地本体と該布地本体の片面に接合されている防水性部材とからなり、少なくとも前記敷布団の幅より広く、その両端部を前記敷布団の両側で折り曲げ可能な幅を有する防水性のある布地シートの両折り曲げ部の前記布地本体に接合するそれぞれフックテープを備える第３の面状ファスナーが両側に設けられたことを特徴とする敷布団カバー固定用のバンド。
【考案の詳細な説明】
【技術分野】
【０００１】
本考案は、小児の夜尿、成人の尿失禁症患者、妊婦等の失禁によって敷布団が汚れるのを防止する敷布団カバー及び敷布団カバー固定用のバンドに関する。
【背景技術】
【０００２】
使用者の尿によって敷布団が汚れるのを防止する敷布団カバーとして、例えば、抗菌及び消臭加工を施した多孔性の合成樹脂フィルムの裏面に撥水処理を施して不透水性とした使い捨てベッドシーツが特許文献１で提案されている。また、敷布団の長さの１／２〜２／３の幅を有し、一面側に防水処理が行われた防水シーツも市販されている。
【０００３】
【特許文献１】登録実用新案第３０１９７９７号公報
【考案の開示】
【考案が解決しようとする課題】
【０００４】
しかしながら、特許文献１に記載されている使い捨てベッドシーツや市販の防水シーツにおいては、敷布団の上にこれらを載せて使用するか、又は敷布団に被せたこれらのシーツの両端部を折り曲げて敷布団の下にその折り畳み部分を挿入して使用するだけであるので、使用者が敷布団の上で身体を動かすと、これらの使い捨てベッドシーツや市販の防水シーツに皺が発生し、場合によっては敷布団から外れてしまうことがあるという問題があった。
【０００５】
本考案はかかる事情に鑑みてなされたもので、仮に使用者が敷布団の上で動き回っても、その配置位置が変わり難く、敷布団に被せた状態を保持できる敷布団カバー及び敷布団カバー固定用のバンドを提供することを目的とする。
【課題を解決するための手段】
【０００６】
前記目的に沿う第１の考案に係る敷布団カバーは、敷布団の中間部から下部に部分的に被せて使用者の尿によって前記敷布団が汚れるのを防止する敷布団カバーであって、
少なくとも前記敷布団の幅より広く、その両端部を前記敷布団の両側で折り曲げ可能な幅を有する防水性のある布地シートと、
前記敷布団に被さって両側で折り曲げた状態の前記布地シートの両折り曲げ部にそれぞれ複数箇所にわたって対向して設けられた第１の面状ファスナーと、
前記敷布団に被さって両側を折り曲げられた状態の前記布地シートの対向して配置された前記第１の面状ファスナーに係合する第２の面状ファスナーが両側にそれぞれ設けられたバンドとを有する。
ここで、第１及び第２の面状ファスナーとして、例えば、対となるフックテープとループテープを使用することができる。
【０００７】
第１の考案に係る敷布団カバーにおいて、前記布地シートは天然繊維又は人造繊維からなる布地本体と、該布地本体の片面に接合されている防水性部材からなるのが好ましい。
第１の考案に係る敷布団カバーにおいて、前記防水性部材は前記布地本体にコーティングされているのが好ましい。
第１の考案に係る敷布団カバーにおいて、前記布地シートを広げた状態で、上下方向の幅は８０〜１１０ｃｍ、横方向の幅は１２０〜１９０ｃｍの範囲にあるのがよい。
【０００８】
前記目的に沿う第２の考案に係る敷布団カバーは、敷布団の中間部から下部に部分的に被せて使用者の尿によって前記敷布団が汚れるのを防止する敷布団カバーであって、
天然繊維又は人造繊維からなる布地本体と該布地本体の片面に接合されている防水性部材とからなり、少なくとも前記敷布団の幅より広く、その両端部を前記敷布団の両側で折り曲げ可能な幅を有する防水性のある布地シートと、
前記敷布団に被さって両側を折り曲げられた状態の前記布地シートの両折り曲げ部の前記布地本体に接合するフックテープを備える第３の面状ファスナーが両側に設けられたバンドとを有する。
【０００９】
第２の考案に係る敷布団カバーにおいて、前記布地本体はポリエステル樹脂を主体とし表面に多数の微小掛かり部が設けられたパイル地であって、前記防水性部材はポリウレタン樹脂からなって前記布地本体にコーティングされているのが好ましい。
第２の考案に係る敷布団カバーにおいて、前記布地シートを広げた状態で、上下方向の幅は８０〜１１０ｃｍ、横方向の幅は１２０〜１９０ｃｍの範囲にあるのがよい。
【００１０】
第３の考案に係る敷布団カバー固定用のバンドは、敷布団の中間部から下部に部分的に被せて使用者の尿によって前記敷布団が汚れるのを防止する敷布団カバー固定用のバンドであって、
天然繊維又は人造繊維からなる布地本体と該布地本体の片面に接合されている防水性部材とからなり、少なくとも前記敷布団の幅より広く、その両端部を前記敷布団の両側で折り曲げ可能な幅を有する防水性のある布地シートの両折り曲げ部の前記布地本体に接合するそれぞれフックテープを備える第３の面状ファスナーが両側に設けられている。
【考案の効果】
【００１１】
請求項１〜４に記載の敷布団カバーにおいては、敷布団の幅より広く、敷布団の両側で折り曲げ可能な幅を有する防水性のある布地シートと、布地シートの両折り曲げ部にそれぞれ複数箇所にわたって対向して設けられた第１の面状ファスナーと、第２の面状ファスナーが両側にそれぞれ設けられたバンドとを有するので、布地シートの第１の面状ファスナーとバンドの第２の面状ファスナーを係合させるだけで容易に敷布団カバーを敷布団に巻き付けて固定することができる。従って、使用者がこの敷布団カバーの上で動いても、敷布団カバーが捲れたり移動することが殆どなくなる。また、敷布団の幅が多少異なるものであっても、敷布団カバーを敷布団に動かないようにして固定することができる。更に、布地シートとバンドは分離可能なので、洗濯時にバンド同士又はバンドと布地シートが絡まることがなくなる。
【００１２】
特に、請求項２記載の敷布団カバーにおいては、布地シートは天然繊維又は人造繊維からなる布地本体と、布地本体の片面に接合されている防水性部材からなるので、単なる合成樹脂シート等に比較して肌触りが良いと共に、防水性を有するので、敷布団が汚れるということが極めて少ない。
請求項３記載の敷布団カバーにおいては、防水性部材が布地本体にコーティングされているので、防水性部材が布地本体から外れ難い。
請求項４記載の敷布団カバーにおいては、布地シートを広げた状態で、上下方向の幅は８０〜１１０ｃｍ、横方向の幅は１２０〜１９０ｃｍの範囲にあるので、通常の敷布団のサイズに合って使用性が向上する。
【００１３】
請求項５〜７に記載の敷布団カバーにおいては、天然繊維又は人造繊維からなる布地本体と布地本体の片面に接合されている防水性部材とからなり、敷布団の幅より広く、敷布団の両側で折り曲げ可能な幅を有する防水性のある布地シートを有するので、単なる合成樹脂シート等に比較して肌触りが良いと共に、防水性を有するので、敷布団が汚れるということが極めて少ない。また、布地シートの両折り曲げ部の布地本体に接合するフックテープを備える第３の面状ファスナーが両側に設けられたバンドを有するので、第３の面状ファスナーに設けられたフックテープが布地本体に噛み合って、バンドを布地シートに容易に取付けることができる。また、布地シートへのバンドの取付け位置の自由度を高くすることができ、バンドの本数や布地シートの折り曲げ幅を使用者や敷布団に合わせて変えることができる。
【００１４】
特に、請求項６記載の敷布団カバーにおいては、布地本体がポリエステル樹脂を主体とし表面に多数の微小掛かり部が設けられたパイル地であるので、フックテープが噛み合い易い。また、防水性部材はポリウレタン樹脂からなって布地本体にコーティングされているので、防水性が高く、しかも、布地本体から外れ難い。
請求項７記載の敷布団カバーにおいては、布地シートを広げた状態で、上下方向の幅は８０〜１１０ｃｍ、横方向の幅は１２０〜１９０ｃｍの範囲にあるので、通常の敷布団のサイズに合って使用性が向上する。
【００１５】
請求項８記載の敷布団カバー固定用のバンドにおいては、布地シートの両折り曲げ部の布地本体に接合するフックテープを備えた第３の面状ファスナーが両側に設けられているので、フックテープが布地本体に噛み合って、バンドを布地シートに容易に取付けることができる。
【考案を実施するための最良の形態】
【００１６】
続いて、添付した図面を参照しつつ、本考案を具体化した実施の形態につき説明し、本考案の理解に供する。
ここで、図１（Ａ）、（Ｂ）はそれぞれ本考案の第１の実施の形態に係る敷布団カバーを展開した状態の平面図、側面図、図２は同敷布団カバーの使用状態の斜視図、図３は同敷布団カバーの使用状態の断面図、図４（Ａ）、（Ｂ）はそれぞれ本考案の第２の実施の形態に係る敷布団カバーを展開した状態の平面図、側面図、図５は同敷布団カバーの使用状態の斜視図、図６は同敷布団カバーの使用状態の断面図である。
【００１７】
図１〜図３を参照して、本考案の第１の実施の形態に係る敷布団カバー１０について説明する。
敷布団カバー１０は、敷布団１１の中間部から下部に部分的に被せて使用者の尿によって敷布団１１が汚れるのを防止するものであって、防水処理された布地シート１２と、敷布団１１の裏側に折り曲げられた布地シート１２の折り曲げ部１２ａに着脱可能に取付けられる複数本（この実施の形態では３本）の敷布団カバー固定用のバンド１３〜１５とを有している。以下、これらについて詳しく説明する。
【００１８】
布地シート１２は、広げた状態で上下方向の幅ａが８０〜１１０ｃｍ、横方向の幅ｂが１２０〜１９０ｃｍの範囲にあり、幅ｂは敷布団１１の幅より広く（敷布団１１の幅の１２０〜１５０％）なっている。そして、布地シート１２は、その両端部が敷布団１１の両側に折り曲げ可能な幅を有している。この布地シート１２は、図１に示すように、表面は天然繊維（例えば、綿、麻、毛等）又は人造繊維（例えば、ポリエステル、キュプラ、レーヨン等）からなる布地本体１６からなって、布地本体１６の裏（即ち片面）に防水性部材１７がコーティングされている。この防水性部材１７は、十分に強度を有する透明の合成樹脂（例えば、ナイロン、塩化ビニール、ポリプロピレン、ポリウレタン等）の薄いコーティング層である。布地シート１２の厚みは１〜２ｍｍ程度である。なお、布地本体は合成繊維からなっているのが洗濯等の都合で好ましく、例えばポリエステルのタオル地（フレンチパイル）は、弾力性に富み、ソフトな感触であるので好ましい。また、防水性部材は布地本体に接着剤による貼着で接合されてもよい。
【００１９】
バンド１３〜１５は、十分強度を有する布バンドからなって、バンド１３〜１５の両側部には、第２の面状ファスナーの一例であるフックテープ１８〜２３がそれぞれ設けられている。また、敷布団１１に被さって両側で折り曲げた状態の布地シート１２の両折り曲げ部１２ａには、バンド１３〜１５のフックテープ１８〜２３とそれぞれ係合する第１の面状ファスナーの一例であるループテープ２４〜２９が、それぞれ複数、例えば３箇所にわたって対向して縫い付けられている。
【００２０】
布地シート１２の両端部を折り曲げて、対向して配置されたループテープ２４と２５、２６と２７、２８と２９に、バンド１３〜１５のそれぞれ対となるフックテープ１８と１９、２０と２１、２２と２３を係合させて、布地シート１２とバンド１３〜１５を固定している。フックテープ１８〜２３とループテープ２４〜２９はそれぞれ上下方向の長さが２〜４ｃｍ、左右方向の長さが５〜１０ｃｍの大きさとなっている。なお、ループテープ２４〜２９の布地シート１２を挟んだ裏側位置には、補強用の裏地３０、３１がそれぞれ設けられて、ループテープ２４〜２９を縫い付ける糸が裏地３０、３１まで貫通している。なお、裏地３０、３１は省略することができる。また、フックテープ１８〜２３及びループテープ２４〜２９は、バンド１３〜１５及び布地シート１２にそれぞれ接着剤で接合することもできる。
【００２１】
バンド１３〜１５の長手方向の長さｃは、例えば、８０〜１２０ｃｍ程度であり、布地シート１２の両端側に取付けられているループテープ２４〜２９の長さをｄとし、敷布団１１の幅をｗ、厚みをｔとした場合、ｂ＋（ｃ−２ｄ）と２ｗ＋２ｔが等しいか、略等しくなるように調整しているのが好ましい。なお、敷布団１１の幅が決まらない場合には、ループテープ２４〜２９の長さを長くするのが好ましい。
【００２２】
続いて、図２、図３を参照しながら、この敷布団カバー１０の使用方法について説明する。
まず、図１に示す布地シート１２の一端側に設けたループテープ２４、２６、２８にそれぞれ対となるバンド１３〜１５のフックテープ１８、２０、２２を係合させて敷布団カバー１０の表側が表面になるようにして広げ、敷布団１１の中間部から下部位置に被さるように、敷布団１１に載せる。この状態では布地本体１６が使用者に直接触れる表側となっているので、肌触りがよく、また防水性部材１７が裏面側になっているので、使用者が尿を漏らしても敷布団１１に染み込まないようになっている。この敷布団カバー１０の配置位置は、使用者の臀部が丁度敷布団カバー１０の中間位置にくるように配置するのがよい。
【００２３】
この状態で、敷布団カバー１０の両端部を敷布団１１の両側で折り曲げ、折り曲げ部１２ａを敷布団１１の裏側に配置し、一端側がループテープ２４〜２９に係合しているバンド１３〜１５を伸ばして、バンド１３〜１５の他端側に設けられているフックテープ１９、２１、２３をそれぞれ図３に示すように、ループテープ２５、２７、２９に係合させる。
これによって、敷布団カバー１０は敷布団１１に巻き付くので、使用者がこの敷布団カバー１０上で動いても敷布団カバー１０が移動することはない。なお、この敷布団カバー１０の使用の際に、更に敷布団カバー１０の上に吸水シートを配置することは自由であるが、この場合、吸水シートがこの敷布団カバー１０の表面に固定されるように、例えば、面状ファスナー、あるいは弱粘着性のテープ等で固定するのがよい。
【００２４】
この敷布団カバー１０を除去する場合には、例えば、バンド１３〜１５の一端側のフックテープ１８、２０、２２をループテープ２４、２６、２８からそれぞれ外し、布地シート１２を引っ張ることによって、敷布団１１から取り外すことができる。また、布地シート１２を洗濯する場合、バンド１３〜１５を布地シート１２から取り外すことができるので、バンド１３〜１５が絡まることがなく、容易に洗濯できる。
【００２５】
図４〜図６を参照して、本考案の第２の実施の形態に係る敷布団カバー４０ついて説明する。なお、敷布団カバー１０と同一の構成要素については同一の番号を付してその詳しい説明を省略する。
敷布団カバー４０は、布地シート４１の両端部の折り曲げ部４３に面状ファスナーが取付けられていない点が、敷布団カバー１０と大きく異なっている。
【００２６】
布地シート４１を構成する布地本体４４は、ポリエステル樹脂を主体とし、表面に多数の微小掛かり部４５が設けられたパイル地（例えば、フレンチパイル）であって、防水性部材４６はポリウレタン樹脂からなって、布地本体４４にコーティングされている。また、布地シート４１の周囲には、縁取り４２が施されている。更に、敷布団カバー固定用のバンド１３〜１５の両側には、第３の面状ファスナーの一例であるフックテープ１８〜２３がそれぞれ設けられている。これによって、バンド１３〜１５の両端部にそれぞれ設けられたフックテープ１８〜２３が、布地シート４１の折り曲げ部４３の布地本体４４の表面の多数の微小掛かり部４５に接合して、敷布団カバー４０を敷布団１１に取付けることができる。また、布地シートとしては、表面に多数の微小係り部が形成されたパイル地等を片面に有する市販の防水シーツを使用することができる。
【００２７】
本考案は、前記した実施の形態に限定されるものではなく、本考案の要旨を変更しない範囲での変更は可能であり、例えば、前記したそれぞれの実施の形態や変形例の一部又は全部を組み合わせて本考案の敷布団カバー及び敷布団カバー固定用のバンドを構成する場合も本考案の権利範囲に含まれる。
例えば、前記実施の形態において、第1、第２の面状ファスナーをそれぞれ構成するループテープとフックテープを入れ換えてもよい。また、この実施の形態においてはバンドの数は３本であったが、２本又は４本以上であってもよい。更には、前記実施の形態は具体的に寸法を用いて説明したが、本考案の要旨を変更しない範囲で寸法や材質を変えることもできる。
【図面の簡単な説明】
【００２８】
【図１】（Ａ）、（Ｂ）はそれぞれ本考案の第１の実施の形態に係る敷布団カバーを展開した状態の平面図、側面図である。
【図２】同敷布団カバーの使用状態の斜視図である。
【図３】同敷布団カバーの使用状態の断面図である。
【図４】（Ａ）、（Ｂ）はそれぞれ本考案の第２の実施の形態に係る敷布団カバーを展開した状態の平面図、側面図である。
【図５】同敷布団カバーの使用状態の斜視図である。
【図６】同敷布団カバーの使用状態の断面図である。
【符号の説明】
【００２９】
１０：敷布団カバー、１１：敷布団、１２：布地シート、１２ａ：折り曲げ部、１３〜１５：敷布団カバー固定用のバンド、１６：布地本体、１７：防水性部材、１８〜２３：フックテープ、２４〜２９：ループテープ、３０、３１：裏地、４０：敷布団カバー、４１：布地シート、４２：縁取り、４３：折り曲げ部、４４：布地本体、４５：微小掛かり部、４６：防水性部材
【図１】
0003122713.tif 000003
【図２】
0003122713.tif 000004
【図３】
0003122713.tif 000005
【図４】
0003122713.tif 000006
【図５】
0003122713.tif 000007
【図６】
0003122713.tif 000008